(57)【特許請求の範囲】
【請求項１】
カーテンの上縁部分の左右端側にのみ、カーテンレールに着脱可能の板状の張設支持片が分離可能に取着され、該張設支持片には、該カーテンレールに着脱可能に取り付けられる第１の取付片が設けられると共に、一方の張設支持片には、ロック具を着脱可能に保持するホルダーが固定されており、又、前記上縁部分の、前記左右の張設支持片間の部分には、前記カーテンレールに着脱可能に取り付けられる第２の取付片が設けられており、
又、前記カーテンの上縁部分の左右端側には、向き合う方向に開口する収容袋部が設けられ、該収容袋部の袋底部は、前記上縁部分の端部に沿わせて上下に長く形成され、該両収容袋部に前記張設支持片の外側部分が挿入されており、該張設支持片は、上下に長い張設支持片外端が上下に長い前記袋底部に当接した状態で、前記上縁部分に面状ファスナを介して分離可能に取着されており、又、前記カーテンの幅方向の少なくとも両側で昇降コードが上下方向に配置され、該昇降コードは、該カーテンに上下所要間隔で設けたコード挿通部に挿通せしめられ、その下端部がカーテンの所要部位に固定状態とされると共に、各昇降コードが該カーテンの上縁部分に設けた案内部に案内されて前記ロック具側に延長され、全ての昇降コードが該ロック具のコード案内路に挿通せしめられており、該コード案内路を通った昇降コードを下方に引くことによって、前記カーテンが、ひだ状部分が積み重なる状態に引き上げられる如くなされ、所要の引上げ状態で前記昇降コードが前記ロック具によりロックされることを特徴とする引き上げ式カーテン装置。
【請求項２】
前記第２の取付片が、前記案内部の近傍部位において前記上縁部分に設けられていることを特徴とする請求項１記載の引き上げ式カーテン装置。
【請求項３】
前記張設支持片に設けられる前記第１の取付片は、前記カーテンレールに固定された固定部材の掛着孔に掛着されるフック状掛着片であることを特徴とする請求項１記載の引き上げ式カーテン装置。
【請求項４】
前記収容袋部は、前記カーテンを構成するカーテン基材の上側部分の左右端において外方に突設された折返し片を内側に折り返すと共に該折返し片の上下を被折返し部に固着することによって形成されていることを特徴とする請求項１記載の引き上げ式カーテン装置。
【請求項５】
前記カーテンの上縁部分に、該上縁部分の長さ方向に係止孔が並設されてなる掛止テープを、その両端部分がカーテン基材の上側部分の左右端から外方に突出するように固定すると共に、該突設された折り返し片を内側に折り返し、該折り返し片の上下を被折り返し部に固着することによって前記収容袋部が形成され、又、前記係止孔には前記案内部が掛着されることを特徴とする請求項１記載の引き上げ式カーテン装置。
【請求項６】
前記張設支持片に設けられる前記第１の取付片は、前記カーテンレールに固定された固定部材の掛着孔に掛着されるフック状掛着片として構成され、且つ、該フック状掛着片が、前記張設支持片の前記収容袋部から突出した部分の左右に所要間隔を置いて設けられていることを特徴とする請求項１記載の引き上げ式カーテン装置。
【発明の詳細な説明】
【技術分野】
【０００１】
本発明は、ひだ状部分が積み重なる状態に引き上げられる引き上げ式カーテン装置に関するものである。
【背景技術】
【０００２】
ひだ状部分が積み重なる状態に引き上げ可能に構成された従来の引き上げ式カーテン装置ａは、図３８〜３９に示すように、付設されるべき窓部の横幅に略等しい長さに設定した直棒状の一本ものの支持バーｂを、窓開口部の上縁に沿ってブラケットを介して取り付け、該支持バーｂの室内側の面部に、面状ファスナｃ，ｃを介してカーテンｄの上縁部分ｅを固定し、該カーテンｄを吊下状態にすると共に、該支持バーｂの一端にロック具ｆを固定してなるものであった。
【０００３】
そして該支持バーｂには、図３９に示すようにその長さ方向に沿って、ロック具ｆの固定側から支持バーの反対側に向けて所要間隔で案内リングｇを設けると共に、該案内リングｇの数に相当する本数の昇降コードｈの束ｊを前記ロック具ｆに通し、その束ｊを構成する昇降コードｈを、前記案内リングｇ毎に垂らし、該垂らした昇降コードｈを、カーテンｄの裏面において上下方向に所要間隔で設けたコード挿通部ｋに順次挿通せしめ、該昇降コードｈの下端をカーテンｄの下端寄り部位に固定状態としてなるものであった。
【０００４】
そして、前記ロック具ｆに挿通した昇降コードの束ｊを下方に引くことにより、前記カーテンｄを、図３８に示すように、ひだ状部分ｎが積み重なる状態に引き上げ可能となされており、所要の引き上げ状態で、昇降コードｈが前記ロック具ｆの係止作用によってロックされ、カーテンｄがその引き上げ状態で固定されるように構成されていた。
【０００５】
しかしながら、かかる構成の引き上げ式カーテン装置ａによるときは、これを付設しようとする窓部の幅が一定していないために、窓部の幅に応じて、それに見合う長さの支持バーをオーダーメイドで製作せざるを得なかった。かかることから、その支持バーの製造コストが高くつく問題があった。又、前記直線状の支持バーｂは、窓部の横幅に略等しい長さに設定されることから、その長さが１８０ｃｍ程度の長いものになることもある。このような長さの長い支持バーを部品として具える引き上げ式カーテン装置にあっては、各部品を包装箱に収容し梱包して出荷する際、前記長い支持バーの全体を収容できるように長さの大なる包装箱を要したため、梱包コストや輸送コストの上昇を招く問題があった。又販売店においては、その陳列のために広い売場スペースを要する不経済があった。
【０００６】
そこで本発明者は特開２００３−３１０４２２号公報において、カーテンの上縁部分を着脱可能に支持でき、且つカーテンレールに着脱可能で、該カーテンレールの長さに合わせて伸縮可能な伸縮式の支持バーを具えた引き上げ式カーテン装置を提案した。
該引き上げ式カーテン装置によるときは、同一の支持バーによって窓部の幅の違いに容易に応ずることができると共に、支持バーの短縮によって梱包状態を小さくできることから梱包コストや輸送コストの低減を期し得る利点があった。又、販売店においては陳列スペースを削減できる経済性があった。
【０００７】
しかしながら該引き上げ式カーテン装置は、支持バーを短縮できるとはいっても、支持バーの強度面や伸縮の構造面から該支持バーの最小短縮長さに限界があり、合理的な範囲としては１／２程度まであった。従って、例えば１８０ｃｍ程度の長い支持バーであれば、合理的には９０ｃｍ〜１００ｃｍ程度の短縮長さにできるのが精々であり、極端に短縮することには無理があって前記と同様の問題を招来した。
【０００８】
又、カーテンの上縁部分の全長に亘って支持バーが配置されることから、該引き上げ式カーテン装置を出窓に適用せんとする場合は、出窓の上端の外縁に沿って屈曲状態（台形状や円弧状等の屈曲状態）に固定されたカーテンレールの該屈曲状態に合わせて支持バーを個別に屈曲させなければならなかった。かかることから、前記引き上げ式カーテン装置は、出窓に対しては適用が困難であった。
【特許文献１】特開２００３−３１０４２２号公報（２−５頁、図１、図１８）
【発明の開示】
【発明が解決しようとする課題】
【０００９】
本発明は前記従来の問題点に鑑みて開発されたものであり、窓部の幅の違いに容易に応ずることができるのはもとより、コンパクトに梱包できて梱包コストの低減及び輸送コストの低減を期し得ると共に、出窓に対しても適用容易な引き上げ式カーテン装置の提供を課題とするものである。
【課題を解決するための手段】
【００１０】
前記課題を解決するため、本発明は以下の手段を採用する。
即ち本発明に係る引き上げ式カーテン装置は、カーテンの上縁部分の左右端側にのみ、カーテンレールに着脱可能の板状の張設支持片が分離可能に取着され、該張設支持片には、該カーテンレールに着脱可能に取り付けられる第１の取付片が設けられると共に、一方の張設支持片には、ロック具を着脱可能に保持するホルダーが固定されており、又、前記上縁部分の、前記左右の張設支持片間の部分には、前記カーテンレールに着脱可能に取り付けられる第２の取付片が設けられている。又、前記カーテンの上縁部分の左右端側には、向き合う方向に開口する収容袋部が設けられ、該収容袋部の袋底部は、前記上縁部分の端部に沿わせて上下に長く形成され、該両収容袋部に前記張設支持片の外側部分が挿入されており、該張設支持片は、上下に長い張設支持片外端が上下に長い前記袋底部に当接した状態で、前記上縁部分に面状ファスナを介して分離可能に取着されている。そして、前記カーテンの幅方向の少なくとも両側で昇降コードが上下方向に配置され、該昇降コードは、該カーテンに上下所要間隔で設けたコード挿通部に挿通せしめられ、その下端部がカーテンの所要部位に固定状態とされると共に、各昇降コードが該カーテンの上縁部分に設けた案内部に案内されて前記ロック具側に延長され、全ての昇降コードが該ロック具のコード案内路に挿通せしめられており、該コード案内路を通った昇降コードを下方に引くことによって、前記カーテンが、ひだ状部分が積み重なる状態に引き上げられる如くなされ、所要の引上げ状態で前記昇降コードが前記ロック具によりロックされることを特徴とするものである。
【００１１】
前記引き上げ式カーテン装置において、前記第２の取付片を、前記案内部の近傍部位において前記上縁部分に設けるのがよい。
【００１２】
又、前記引き上げ式カーテン装置において、前記張設支持片に設けられる前記第１の取付片を、前記カーテンレールに固定された固定部材の掛着孔に掛着されるフック状掛着片とするのがよい。
【００１３】
又前記引き上げ式カーテン装置において、前記収容袋部は、前記カーテンを構成するカーテン基材の上側部分の左右端において外方に突設された折返し片を内側に折り返すと共に該折返し片の上下を被折返し部に固着することによって形成するのがよい。
【００１４】
又前記引き上げ式カーテン装置において、前記カーテンの上縁部分に、該上縁部分の長さ方向に係止孔が並設されてなる掛止テープを、その両端部分がカーテン基材の上側部分の左右端から外方に突出するように固定すると共に、該突設された折り返し片を内側に折り返し、該折り返し片の上下を被折り返し部に固着することによって前記収容袋部を形成し、又、前記係止孔に前記案内部を掛着するのがよい。
【００１５】
又前記引き上げ式カーテン装置において、前記張設支持片に設けられる前記第１の取付片を、前記カーテンレールに固定された固定部材の掛着孔に掛着されるフック状掛着片として構成し、且つ、該フック状掛着片を、前記張設支持片の前記収容袋部から突出した部分の左右に所要間隔を置いて設けるのがよい。
【発明の効果】
【００１６】
本発明は以下の如き優れた効果を奏する。
(1) 本発明に係るカーテン装置は、カーテンの上縁部分の左右端側にのみ、第１の取付片によりカーテンレールに着脱可能の板状の張設支持片が取着され、又、該上縁部分の、左右の張設支持片間の中間部分に、カーテンレールに取り付けられる第２の取付片が設けられた構成を採用している。かかることから、両張設支持片に逆向きの押圧力を加えて前記上縁部分を長さ方向で張った状態（張設状態）にでき、この状態を保持できる。従って本発明によるときは、従来のような、上縁部分の全長に亘る長い支持バー（一本ものや伸縮式の支持バー）を用いなくても、ひだ状部分が見栄えよく積み重なる状態に引き上げられる引き上げ式カーテン装置を構成できることとなる。
【００１７】
このように本発明に係るカーテン装置は、カーテンの上縁部分の全長に亘る一本ものの支持バーを必要とすることなくカーテンの上縁部分の左右端側にのみ、短い長さの張設支持片を取着して構成できることから、該カーテンを、張設支持片間の部分において自由に折り畳むことができる。従って、張設支持片が取着されたカーテンをコンパクトに梱包できる。或いは、前記張設支持片がカーテンと分離した状態で、該張設支持片を、折り畳んだカーテンとセットにして梱包する場合も、同様にして全体をコンパクトに梱包できる。又、前記した特開２００３−３１０４２２号公報が開示する伸縮式の支持バーを具えるカーテン装置と対比した場合も、該張設支持片の長さを、最小縮小状態の支持バーの長さよりも短く設定できるため、前記と同様のコンパクトな梱包が可能となる。
【００１８】
このように本発明によるときは、カーテン装置を構成するカーテンや張設支持片等の部品をコンパクトに梱包（例えば、全体を６０ｃｍ程度以下の短い長さに梱包）して出荷できるため、梱包コストの低減と輸送コストの低減を達成できると共に、梱包状態がコンパクトであるために取り扱い性も向上する。又、販売店における陳列スペースの削減を達成できる経済性もある。
【００１９】
(2) 又本発明に係るカーテン装置は、前記張設支持片を板状に形成するため、該板状の張設支持片に逆向きの押圧力を加えて前記上縁部分を張った状態とする（張設する）際、該上縁部分に加わる荷重を該張設支持片の面積で分散させ得る。かかることから、該上縁部分に局部的に荷重が集中するのを防止できて安定した張設作用が得られると共に、該上縁部分が損傷したり該上縁部分が不自然に変形してカーテンの見栄えが悪くなる等の問題を発生させることもない。
【００２０】
(3) 本発明に係るカーテン装置は、カーテンの左右端側にのみ張設支持片を設ける構成を採用するため、該上縁部分の張設支持片間の部分は屈曲自在である。かかることから本発明は、直線状のカーテンレールを具える窓部等に適用できるのは元より、屈曲したカーテンレールが設けられた出窓等に対しても適用容易である。
【００２１】
(4) 第２の取付片を前記案内部の近傍部位において前記上縁部分に設けることにより、昇降コードを介して前記案内部に加わる吊下荷重が、該第２の取付片を介して前記カーテンレールに安定的に支持されることとなって好ましい。
【００２２】
(5) カーテンの上縁部分の左右端側に、向き合う方向に開口する収容袋部を設け、該収容袋部に前記張設支持片の外側部分を挿入させる構成を採用しているため、カーテンの上縁部分を張った状態でカーテンレールに取り付ける際、該外側部分が収容袋部に安定的に拘束される。且つ、該張設支持片の上下に長い外端が前記収容袋部の上下に長い袋底部に当接した状態で、両張設支持片が前記上縁部分を逆向きに押圧できることになる。かかることからカーテンの上縁部分を、無理に変形させることなく確実に張設させ得る。
【００２３】
(6) 前記収容袋部を形成するに際し、前記カーテンを構成するカーテン基材の上側部分に、外方に延長するように折り返し片を設け、該折り返し片を内側に折り返すと共に、該折り返し片の上下を被折り返し部に縫製等の手段によって固着する場合は、前記収容袋部を容易に形成できる利点がある。この場合、カーテン基材の上縁部分に掛止テープをその両端部分がカーテン基材の上側部分の左右端から外方に突出するように固定するときは、該折り返し片を内側に折り返すと共に該折り返し片を被折り返し部に適宜固着することによって収容袋部を形成できる。かかることから、カーテン基材そのものに一連に折り返し片を設ける必要がなくなりカーテン基材の製作がより容易となる。
【００２４】
(7) カーテンの上縁部分の左右端側に収容袋部を設ける場合において、前記張設支持片に設けられる前記第１の取付片を、前記カーテンレールに固定された固定部材の掛着孔に掛着されるフック状掛着片として構成し、且つ、該フック状掛着片を、前記張設支持片の前記収容袋部から突出した部分の左右に所要間隔を置いて設ける構成を採用した場合は、第１の取付片を簡易に構成できると共に、該張設支持片をカーテンの上縁部分に面状ファスナを介して取着するときも、該取着部分に無理な荷重を作用させることなく、張設支持片の水平状態を確保してカーテンの上縁部分を無理なく張設できる利点がある。
【実施例１】
【００２５】
以下、本発明の実施例を図面に基づいて説明する。
図１〜４において本発明に係る引き上げ式カーテン装置（以下カーテン装置という）１は、カーテン２の上縁部分３の左右端側（両端側）５，６に、向き合う方向に開口する収容袋部７，７が設けられており、カーテンレール１０に着脱可能の板状の張設支持片１１，１１が、その外側部分１２，１２が該収容袋部７，７に挿入された状態で前記上縁部分３に分離可能に取着されている。そして該張設支持片１１，１１には、該カーテンレール１０に着脱可能に取り付けられる第１の取付片１３が設けられると共に、一方の張設支持片１１ａには、前記カーテン２に取り付けられた昇降コード１５をロックさせるロック具１６を着脱可能に保持するホルダー１７が固定されている。
【００２６】
前記カーテンレール１０は、カーテンを吊下するために使用されている既製品であり、図示しないブラケットを介して、窓部の上縁に沿って取り付けられている。図２〜５はその一例を示すもので、対向した受片１９，１９を下端に有する軽量溝形鋼材を用いて構成されており、該対向する受片１９，１９で下方から支持された吊り具２０がレール長さ方向に摺動できる。又、該カーテンレール１０の左右端側には、掛着孔２１が設けられた固定部材２２，２２が固定される。
【００２７】
前記固定部材２２は、例えば図５〜６に示すように、水平片２３の一側縁に、長さ方向の中央部分に切欠部２５が設けられた垂直片２６を折曲形成してなるＬ字状部材２７を具えている。なお該切欠部２５は無くてもよい。そして該垂直片２６の、前記切欠部２５の両側部分の左右に、２個の掛着孔２１ａ，２１ｂ、２１ｃ，２１ｄが設けられている。又、前記水平片２３の左右端側にはネジ孔２９，２９（図６〜７）が設けられると共に各ネジ孔２９に、その下側から固定ネジ３０が挿通され、前記水平片２３の上面で突出したネジ軸部３１が、例えば矩形板状を呈する固定片３２の中央部に設けたネジ孔３３（図６〜７）に螺合され、該固定片３２と前記水平片２３との間にバネ部材３５、例えばコイルバネ３５ａが稍圧縮状態で介装されている。これにより、該固定片３２が前記水平片２３から浮き上がっている。なお該バネ部材３５の最小圧縮状態の厚さは、前記受片１９の厚さに等しいか、それ以下に設定されている。
【００２８】
かかる構成の固定部材２２は、カーテンレール１０の左右端側に固定されるのであるが、その際、前記固定片３２，３２を、図７（Ａ）に示すように、前記水平片２３の長さ方向（左右方向）に向きを揃えた状態でカーテンレール１０の内部２５に挿入し、その後、図７（Ｂ）に示すように、両固定片３２，３２の向きを前後方向に変える。前記のように、固定片３２が前記水平片２３から浮き上がっているため、固定片３２，３２と水平片２３との間に前記前後の受片１９，１９を介在させるのが容易である。
【００２９】
前記のように両固定片３２，３２の向きを変えた状態で前記固定ネジ３０を締め付けると、図７（Ｃ）に示すように、水平片２３と固定片３２との間で前記受片１９，１９が挾持状態となり、固定部材２２がカーテンレール１０に固定されることとなる。この状態で、圧縮状態の前記バネ部材３５は前後の受片１９，１９間の空間３４に納まる。
【００３０】
前記カーテン２は、左右幅が例えば１８０ｃｍ程度である矩形シート状のカーテン基材３６を用いて構成されており、図８に示すように、該カーテン基材３６の上側部分３７の後面３９に、９０ｍｍ程度の上下幅を有する係止テープ４０が重ね合わせられ且つ上下の縁部分３８，３８で縫着され、該係止テープ４０の両端部分は、前記カーテン基材３６の左右両端４１，４２から４０ｍｍ程度突出する折り返し片４３，４３とされている。該折り返し片４３，４３は図９に示すように、内側に折り曲げられると共に、その上の縁部分４５と中央部分４６と下の縁部分４７が被折り返し部（カーテンの上縁部分）４９（図８）に例えば縫製により固着され、中央縫製部分５０と下縁縫製部分５１との間に前記収容袋部７が形成されている。該収容袋部７の開口部５２の上下長さは例えば４６ｍｍ程度に設定され、該収容袋部７の深さ（上縁部分３の長さ方向で見た深さ）は３７ｍｍ程度に設定されている。
【００３１】
又前記係止テープ４０の下縁部分５３には、図９に示すように、その長さ方向に、６ｍｍ程度の間隔で係止孔５５が並設されている。そして前記上縁部分３の後面５５の、長さ方向の左右端側及び中間部分に、図１、図３〜４、図１０に示すように、前記昇降コード１５を横方向で案内する案内部５６が設けられている。該案内部５６は、例えば、前記昇降コード１５を横方向で挿通させるリング状案内具５６ａを以って構成されており、そのフック部５７が前記係止孔５５の内の所要のものに引っ掛けられることによって、前記上縁部分３に前記案内部５６が設けられている。なお、隣り合う案内部５６，５６間の間隔は略等しく設定されている。本実施例においては、該案内部５６の個数は７個に設定され、隣り合う案内部５６，５６間の間隔は２７ｃｍ程度に設定されている。なお、前記一方の張設支持片１１ａ側に存する案内部５６ａは、図３に示すように、後述のホルダー１７に近接させて設けられている。
【００３２】
又前記カーテン基材３６の下端部分は、図１１に示すように、後側に例えば５０ｍｍ程度の幅で折り曲げられ且つ折り曲げ片５９の左右の側部分６０，６１及び上の縁部分６２が縫製されることにより、図１に示すように、ウエイトバー６３の収容部６５が形成されている。なお該上の縁部分６２の一方の端部側は縫製されておらず、該ウエイトバー６３の出し入れ口６４とされている。該ウエイトバー６３は、本実施例においては図１２に示すように、５５ｃｍ弱の長さを有する分割バー６７，６７，６７が筒状連結具６８，６８を介して直線状に連結され、全長が１７０ｃｍ程度に設定されており、前記出し入れ口６４を通して前記収容部６５内に納められ、該ウエイトバー６３はカーテン下部のウエイトとなっている。
【００３３】
そして図１３〜１４に示すように、該収容袋部７内の前記被折り曲げ部４９の後面６６及び、前記上縁部分３の後面６７の、該収容袋部７の開口部５２から稍離れた部位に第１の面状ファスナ６９が固定されている。前記後面６７に固定された面状ファスナ６９ａの固定位置は、例えば、その内側の縁７０が、前記収容袋部７の開口部５２から１２０ｍｍ程度離れた部位に設定される。
【００３４】
又前記張設支持片１１は、本実施例においては、カーテンの上縁部分３の長さ方向に長い矩形板状に形成されており、長さが１３０〜１５０ｍｍ程度、例えば１３５ｍｍ程度で、且つ幅が３０ｍｍ程度の矩形板状に形成されている。そして図３〜４、図１５に示すように、該張設支持片１１の外側部分１２が前記収容袋部７内に挿入され、該張設支持片１１の上下に長い張設支持片外端７１が、前記収容袋部７の上下に長い袋底部７２に当接状態とされる。又、該張設支持片１１の前面７３の両端側には図１３に示すように第２の面状ファスナ７５が固定されており、かかる構成の張設支持片１１は、その外側部分１２が前記収容袋部７，７内に挿入された状態で、前記第１、第２の面状ファスナ６９，７５、６９，７５の係合によって、カーテン２の上縁部分３に分離可能に取着されている。
【００３５】
又、各張設支持片１１，１１の上の縁部分には、本実施例においては図１３〜１４，図１６に示すように、前記収容袋部７に外側部分１２が収容された状態で、該収容袋部７の開口部５２寄り部位と、それよりも４０ｍｍ程度内方に位置した部位の２箇所に、取付孔７６，７６が設けられ、各取付孔７６，７６に、例えばフック状掛着片としての前記第１の取付片１３，１３が取着されている。該第１の取付片１３，１３は、前記固定部材２２の垂直片２６に設けられた前記掛着孔２１に着脱可能に掛着し得るものであり、その際、図５に示す、前記切欠部２５を挟んで外側に位置する２個の掛着孔２１ａ，２１ｃ、又は、内側に位置する２個の掛着孔２１ｂ，２１ｄが選択される。
【００３６】
又前記ホルダー１７は、図１６に示すように、前記一方の張設支持片１１ａを挿通させ得る上下に長い矩形状挿通孔８０が設けられてなる矩形板状の固定筒部８１の下端に、対向状態の前後の垂下片８２，８２を具える矩形筒状の保持筒部８３が設けられている。そして、前記固定筒部８１の後面８５の略中央にはねじ込み筒部８６が突設され該ねじ込み筒部８６にビス８７がねじ込み可能となされている。
【００３７】
かかる構成を有するホルダー１７を前記張設支持片１１ａに固定する要領は、該張設支持片１１ａを図１６に矢印で示す方向に前記矩形状挿通孔８０に挿通させ、該ホルダー１７を前記開口部５２側に位置せしめ、その後図１７に示すように、前記ねじ込み筒部８６に前記ビス８７をねじ込み、該ビス８７の先端８９を前記張設支持片１１ａに押圧状態として行う。
【００３８】
そして前記ロック具１６は図３に示すように、前記保持筒部８３内に、着脱可能に弾性圧入状態で挿入せしめられ、該挿入された状態で前記ホルダー１７に保持される。
【００３９】
又前記カーテン２の後面９０には、図２〜４に示すように、前記した夫々の案内部５６の下側に位置させて、上下所要間隔でリング状のコード挿通部９１が設けられている。前記昇降コード１５は、図１〜２に示すように、夫々の案内部５６に対応させて設けられており、該案内部５６を挿通して下方に延び、上下方向に並設された各コード挿通部９１に挿通せしめられると共に、その下端部９２がカーテンの所要部位（本実施の形態においては下端近傍部位）９３に固定状態とされる。この固定は、例えば結着手段や引掛け手段、昇降コードの下端に設けた突部をカーテンに設けた挿通部の下縁と係合させる係合手段等の適宜手段により行われる。そして各昇降コード１５は、前記案内部５６を挿通して前記ホルダー１７側に延長せしめられ、７本の昇降コード１５が、図３、図１８に示すように、前記ホルダー１７に保持されているロック具１６のコード案内路９５に挿通せしめられている。
【００４０】
該ロック具１６は、図１８に示すように、前記コード案内路９５にロックローラ９６が納設されている。該ロックローラ９６は、図１８に矢印で示す斜め方向で上下動可能であり、上方向に移動するにつれ、該ロックローラ９６とコード案内路９５の外側の壁面９７との間の距離が小さくなるように構成されている。そして前記７本の昇降コード１５は、これを図１８に矢印で示すように内側に傾けたとき前記ロックローラ９６の周面９９に接触可能となるように、前記コード案内路９５に下向きに挿通せしめられている。
【００４１】
かかる構成のカーテン２は、図１〜２に示すようにカーテンレール１０に吊下状態とされるのであるが、その際、図１〜２、図３〜４、図１５に示すように、カーテン２の上縁部分３の左右端側５，６を、前記張設支持片１１，１１を介して、前記カーテンレール１０に固定された前記固定部材２２，２２に前記第１の取付片１３により掛着状態に取り付ける。併せて、該左右の張設支持片１１，１１間の中間部分９８において前記案内部５６の近傍部位に取り付けられた、例えばフック状掛着片としての第２の取付片１００の夫々を、前記吊り具２０の掛着孔１０１に掛着状態に取り付ける。そしてこの状態で、該上縁部分３をその長さ方向に張った状態（張設状態）とする。なお該第２の取付片１００は、例えば図３に示すように、縫着された前記係止テープ４０を前後から弾性的に挾持し得るＵ字状挾持部１０２の後側の片１０３の上端に、前記吊り具２０に着脱可能に掛着し得る係合片１０５を下方に屈曲した構成を有している。
【００４２】
然して、前記コード案内路９５を通った７本の昇降コード１５を下方に引くと、前記カーテン２が、図１９に示すように、ひだ状部分１０６が積み重なる状態で引き上げられていく。本実施例においては、前記のように、第２の取付片１００を前記案内部５６の近傍部位において前記上縁部分３に取り付けているため、ひだ状部分１０６が引き上げられる際、昇降コード１５を介して前記案内部５６に加わる吊下荷重が、該第２の取付片１００を介して前記カーテンレール１０に安定的に支持されることとなる。
【００４３】
そして、所要の引き上げ状態で前記ロック具１６をロック状態に作動させる。この作動は、前記昇降コード１５の束１０７を、図１８に矢印で示すように内側にしゃくるように傾けて前記ロックローラ９６の周面９９に接触させて行う。引き上げたカーテンが自重で下降しようとすることに伴う前記昇降コード１５の戻り作用により、前記ロックローラ９６が図２０に示すように上昇し、その結果、各昇降コード１５が該ロックローラ９６とコード案内路９５の外側の壁面９７との間で挾持された状態となる。これにより昇降コード１５がロックされ、従ってカーテン２の所要の引き上げ状態が保持されることになるのである。
【００４４】
又前記とは逆に、前記昇降コードの束１０７を、図２０に矢印で示すように外側にしゃくるように傾けることにより、該昇降コード１５と前記ロックローラ９６との接触が解除されて該ロックローラ９６が図１８に示すように下に落ちる。これにより前記挾持状態が解除されるため、カーテン２を下ろすことができる。
【００４５】
前記カーテン装置１を組み立てるために必要な前記張設支持片１１，１１は、カーテン２の上縁部分３の全長に亘る長さのものではなく該上縁部分３の左右端側にのみ取着される短い長さのものであるため（本実施例においては１３５ｍｍ程度）、カーテンや張設支持片等の部品をセットにして梱包するための包装箱の長さは、これらを収容できる短い長さのものでよい。かかることから、カーテンの上縁部分の全長に亘る従来の長い支持バーを梱包する場合に比し、包装箱の長さを極端に短く設定できる。又、従来の伸縮式の支持バーを梱包する場合と比べても、包装箱の長さをより短く設定できる。前記カーテンの下縁部分にウエイトバー６３が装着される場合、該ウエイトバーを分割バーの連結体として構成しても何ら不具合がないため、包装箱の長さをより短く設定できることは、該分割バーも含めて梱包するときも変わりがない。この梱包に際しては、前記昇降コード１５をカーテン２に取り付けると共に前記左右の張設支持片１１，１１を前記のようにしてカーテンの上縁部分３に取着し、且つ前記ロック具１６をホルダー７９に保持させておくのがよい。
【００４６】
このようにして梱包され販売されたカーテン装置の組立セットを用いてカーテン装置１を組み立てるには、先ず図５に示すように、前記固定部材２２，２２を、カーテンレール１０の左右端側に、前記のように固定ネジ３０を締め付けることによって固定する。その後、図１５に示すように、何れか一方の張設支持片、例えば前記一方の張設支持片１１ａに取り付けられている前記第１の取付片１３，１３を、一方の固定部材２２の掛着孔２１，２１に掛着する。又、前記各第２の取付片１００を所要の吊り具２０の掛着孔１０１に掛着する。そして、他方の張設支持片１１ｂに取り付けられている前記第１の取付片１３，１３を、前記上縁部分３を張った状態にしながら他方の固定部材２２の掛着孔２１，２１に掛着する。この掛着の際、前記上縁部分３が張った状態となるように、前記切欠部２５を挟んで外側に位置する２個の掛着孔２１ａ，２１ｃ、或いは、該切欠部２５を挟んで内側に位置する２個の掛着孔２１ｂ，２１ｄが適宜選択される（図５参照）。これにより、該上縁部分３の左右端側及び中間部分がカーテンレール１０に吊下され、且つ該上縁部分３がその長さ方向に張られた状態（張設された状態）の前記カーテン装置１が構成されることとなる。
【００４７】
このように上縁部分３を張った状態とする際、左右の張設支持片１１，１１の外側部分１２，１２が、前記収容袋部７，７に挿入されて該収容袋部７，７に拘束された状態にあることから、前記張設支持片外端７１が前記袋底部７２に安定的な線接触状態となり、カーテンの上縁部分３を無理に変形させることなく該袋底部７２を外方に安定的に押圧できる。かかることから、該押圧時に前記張設支持片１１，１１が上縁部分３から剥離しにくく該上縁部分３を確実且つ容易に張設できる。
【００４８】
特に本実施例においては、上縁部分３を張る際の荷重が張設支持片１１の両側に設けられた２個の第１の取付片１３，１３で支持されるため、該上縁部分３のカーテンレール１０に対する張設を、左右の張設支持片１１，１１の水平状態を保ちつつ行なうことができる。かかることから、張設支持片１１，１１が上縁部分３から一層剥離しにくい。
【００４９】
前記カーテン２を洗濯するためにカーテン装置１を分解するには、前記第１の取付片１３，１３を前記固定部材２２，２２から取り外すと共に前記第２の取付片１００を前記吊り具２０から取り外し、左右の張設支持片１１，１１をカーテンレール１０から分離した状態とする。
【００５０】
その後、前記第１、第２の面状ファスナ６９，７５、６９，７５の係合解除によって前記一方の張設支持片１１ａをカーテン２の上縁部分３から分離させ、且つ、前記ロック具１６を前記ホルダー１７から取り外す。又、前記面状ファスナ６９，７５、６９，７５の係合解除によって前記他方の張設支持片１１ｂを前記上縁部分３から分離させる。又、前記ウエイトバー６３を前記出し入れ口６４を通して収容部６５から取り外す。
【００５１】
このようにしてカーテンの上縁部分３を分離させ且つロック具１６を取り外しても、７本の昇降コード１５がカーテン２に所要配置状態で取り付いた状態にあり、且つ昇降コード１５がロック具１６に所要に通された状態にあってカーテン２とロック具１６が昇降コードを介して連なっている。そのため、例えば、該カーテン２とロック具１６と昇降コード１５を洗濯袋に納めて、カーテンを容易に洗濯できる。
【００５２】
洗濯後は、前記したと同様の作業工程を経ることによってカーテン装置１を容易に組み立てることができる。カーテン２とロック具１６に昇降コード１５が所要状態に取り付いているため、洗濯後にカーテン装置を組み立てる際、昇降コード１５をカーテン２やロック具１６に取り付け直さなければならないといった面倒さがない。
【００５３】
図２１は、カーテン２の左右幅を９０ｃｍ程度に形成した場合のカーテン装置１を示すもので、昇降コード１５の総本数が４本に設定されている。その他の構成は前記と同様であり、同一構成部分には同一の符号が付されている。
【００５４】
図２２〜２３、図２４〜２６は、本発明に係るカーテン装置１が出窓１０９に適用された場合を示すものであり、カーテンレール１０が屈曲状態で該出窓１０９の上端の外縁に沿って固定されている。該カーテンレール１０は例えば台形状や円弧状等に屈曲している。図２２〜２３においては台形状に一連に屈曲しており、両側の屈曲部１１０，１１０の長さは３５０ｍｍ程度に設定されている。又、該カーテンレール１０に吊下されるカーテン２は前記と同様の構成を有し、その上縁部分３の左右端側（両端側）５，６に、向き合う方向に開口する収容袋部７，７が設けられている。そして図２４〜２５に示すように、該カーテンレール１０に着脱可能の張設支持片１１，１１が、その外側部分１２，１２が該収容袋部７，７に挿入された状態で、第１、第２の面状ファスナ６９，７５を介して上縁部分３に分離可能に取着されている。該張設支持片１１，１１の長さは、前記屈曲部１１０，１１０の長さよりも稍短い１４０ｍｍ程度に設定されている。又、該張設支持片１１，１１には前記と同様にして第１の取付片１３が取り付けられると共に、前記上縁部分３の左右の張設支持片１１，１１間の中間部分９８には、所要間隔で前記第２の取付片１００が取り付けられている。
【００５５】
かかる構成のカーテン２は、その上縁部分３が、前記カーテンレール１０の屈曲状態に合わせた屈曲状態で配置され、該上縁部分３の左右端側（両端側）に取着された左右の張設支持片１１，１１が、図２４〜２５に示すように、該カーテンレール１０の左右端側（両端側）に前記と同様にして固定された固定部材２２，２２の垂直片２６に設けられた掛着孔２１，２１に、前記第１の取付片１３，１３、１３，１３を介して着脱可能に掛着される。又、該上縁部分３の中間部分９８が、図２６に示すように、前記カーテンレール１０の吊り具２０に前記第２の取付片１００を介して掛着され、前記張設支持片外端７１が、前記袋底部７２を外方に線接触状態で押圧することにより、該上縁部分３がその長さ方向に張られたカーテン装置１が構成される。カーテン２の前記中間部分９８には張設支持片が設けられていないため、該上縁部分３をカーテンレール１０の屈曲状態に合わせて自由に屈曲させることができ、しかも該上縁部分３を張った状態（張設状態）にできるのである。そして、該カーテン２の下部に設けたウエイトバーの収容部６５には、図２２〜２３に示すようにウエイトバー６３が納められ、カーテン下部のウエイトとなっている。前記ウエイトバー６３は、全体が一連に形成されてもよいのであるが、本実施例においては、カーテン２の屈曲部１０８で分離されている。ウエイトバーがこのように分離されていても、カーテン下部に均一状態にウエイトが掛かる。そして、ウエイトバー６３をこのように分離することにより、前記収容部６５へのウエイトバー６３の挿入が容易となる。
【００５６】
かかる構成を有する引き上げ式カーテン装置１も、そのカーテン２を、前記と同様にして、ひだ状部分が積み重なる状態で引き上げることができ、所要の引き上げ状態をロック具１６により保持できる。
【実施例２】
【００５７】
本発明は、前記実施例で示したものに限定されるものでは決してなく、「特許請求の範囲」の記載内で種々の設計変更が可能であることはいうまでもない。その一例を挙げれば次のようである。
【００５８】
(1) 本発明に係る引き上げ式カーテン装置１において、前記カーテン２の上縁部分３の左右端側に、向き合う方向に開口する収容袋部７，７を設ける場合、該収容袋部７は、外方に突出されたカーテン基材３６の突出部分及び、係止テープ４０の外方突出部分としての折り返し片の双方を重ねて内側に折り返すと共に、該折り返された部分の上下を被折り返し部（カーテンの上縁部分）に縫製等の手段により固着することによっても形成できることの他、カーテン基材３６の上側部分の左右端側に覆い片を重ね合わせると共に該覆い片の上下縁及び外縁を、該上縁部分に縫製等の手段により固着する等によっても形成できる。
【００５９】
(2) 張設支持片１１に取り付ける第１の取付片１３を図１３〜１４に示すようなフック状掛着片として構成する場合、該フック状掛着片１３ａの取り付け個数は、図３〜４に示すように左右２個等、複数個とされることの他、張設支持片１１と上縁部分３との剥離を防止できる限り１個とされることもある。
【００６０】
(3）カーテン２の上縁部分３を張設状態にカーテンレール１０に取り付けるに際して前記構成の固定部材２２を介在させるときは、前記のように行うことの他、次のように行なうこともできる。即ち、何れか一方の固定部材をカーテンレール１０に固定し且つ該固定部材に、何れか一方の張設支持片をフック状掛着片（第１の取付片）を介して掛着させると共に、他方の固定部材をカーテンレール１０に移動可能に設け且つ該固定部材に他方の張設支持片（第１の取付片）を掛着させ、該他方の固定部材を前記一方の固定部材から離れる方向に移動させて前記上縁部分３を張った状態とし、該状態で該固定部材をカーテンレール１０に固定する作業手順によることもある。
【００６１】
(4) 図２７〜２９は、前記固定部材２２の他の態様を示すものであり、フック状掛着片１３ａとしての第１の取付片１３，１３を掛着させるための掛着孔２１，２１が逆Ｔ字状に形成されている他は、前記と同様の構成を有しており、同一構成部分には同一の符号を付している。該逆Ｔ字状の掛着孔２１，２１は、夫々、前記フック状掛着片１３ａを殆ど遊びのない状態で左右方向に移動させる横長の移動孔１０１の中央部に、前記フック状掛着片１３ａの引っ掛けを容易に行なわせる稍大径の引っ掛け孔１０２が上方向に連設された構成を有している。なお図２７〜２９において、切欠部２５は無くてもよい。
【００６２】
かかる構成２固定部材２２を用いてカーテン２の上縁部分３を張設状態にカーテンレール１０に取り付けるに際しては、図２９に示すように、何れか一方の固定部材２２ａを、前記と同様の要領によりカーテンレール１０に固定ネジ３０の締め付けによって固定すると共に、他方の固定部材２２ｂをカーテンレール１０に前記と同様にして移動可能に設ける。その後、前記一方の固定部材２２ａの左右の掛着孔２１，２１に、一方の張設支持片１１ａの左右のフック状掛着片１３ａ，１３ａを掛着するのであるが、その際、該フック状掛着片１３ａ，１３ａを前記左右の引っ掛け孔１０２，１０２（図２７）に引っ掛ける。又、前記他方の固定部材２２ｂの左右の掛着孔２１，２１に、他方の張設支持片１１ｂの左右のフック状掛着片１３ａ，１３ａを掛着するのであるが、その際、該フック状掛着片１３ａ，１３ａを前記左右の引っ掛け孔１０２，１０２（図２７）に引っ掛ける。その後、該他方の固定部材２２ｂを前記一方の固定部材２２ａから離れる方向（図２９に矢印で示す方向）に移動させて前記上縁部分３を張った状態とする。
【００６３】
これにより図２９に示すように、前記一方の張設支持片１１ａに設けられている左右のフック状掛着片１３ａ，１３ａは、前記一方の固定部材２２ａの左右に設けられている掛着孔２１，２１の前記移動孔１０１，１０１を、図２９の右方向に移動して該移動孔１０１，１０１の右端１０３，１０３（図２７、図２９）に位置する。又、前記他方の張設支持片１１ｂの左右のフック状掛着片１３ａ，１３ａは、前記他方の固定部材２２ｂの左右に設けられている前記掛着孔２１，２１の前記移動孔１０１，１０１を、図２９の左方向に移動して、両移動孔１０１，１０１の左端１０５，１０５（図２７、図２９）に位置する。これにより、前記上縁部分３が張った状態となる。そして、両張設支持片１１ａ，１１ｂに設けられている各フック状掛着片１３ａは、殆ど遊びのない状態で前記移動孔１０１の端部に位置しているため、両調節支持片１１ａ，１ｂを逆方向に押圧して前記上縁部分３を張った状態とする際において、前記掛着孔２１に対するフック状掛着片１３ａの掛着状態の安定性向上が図られることとなる。この状態で、該他方の固定部材２２ｂが、前記と同様の要領によりカーテンレール１０にネジ固定される。
【００６４】
(5) 図３０〜３２は、前記左右の張設支持片１１，１１をカーテンレール１０に着脱可能に取り付けるための前記第１の取付片１３の他の態様を示すものであり、該張設支持片１１の上縁に一体に連設されている。該第１の取付片１３は、本実施例においては、図３１に拡大して示すように、前記収容袋部７から突出した部分１０６の上縁１０７で上方向に突出する立片１０９の上端において、後方に直角に屈曲する水平片１１０が屈曲形成されている。そして、該水平片１１０の左右端側にネジ孔１１１，１１１が設けられると共に各ネジ孔１１１，１１１に、その下側から固定ネジ１１２が挿通され、前記水平片１１０の上面で突出したネジ軸部１１３が、例えば矩形板状を呈する固定片１１５の中央部分に設けたネジ孔１１６に、前記と同様にバネ部材１１７を介在させて螺合されている。かかる構成を有する第１の取付片１３をカーテンレール１０に取り付ける要領は、前記固定部材２２をカーテンレール１０に固定する要領と同様であるためその具体的な説明は省略する。
【００６５】
第１の取付片１３をこのように構成する場合、左右の張設支持片１１，１１がカーテン２の上縁部分３の左右端側に取着された状態で、該左右の第１の取付片１３，１３をカーテンレール１０に取り付けてもよいのであるが、作業性を考慮すれば、例えば次のように行なうのがよい。これを図３３によって説明すれば、カーテン２の上縁部分３から分離された状態の一方の張設支持片１１ａを、その第１の取付片１３で前記カーテンレール１０の一端側に固定した後、該張設支持片１１ａの外側部分１２を、カーテンの上縁部分３に設けられている収容袋部７に挿入する。その後、カーテンの上縁部分３の他端側に、外側部分１２が収容袋部７に収容された状態にある張設支持片１１ｂの前記第１の取付片１３を、前記カーテンレール１０の他端側に固定するのであるが、その際、該他方の張設支持片１１ｂを前記一方の張設支持片１１ａから離れる方向（図３３に矢印で示す方向）に移動させて前記上縁部分３を張った状態にして行なう。
【００６６】
(6) 前記カーテンレール１０の断面形状及び、該カーテンレールの長さ方向に吊り具２０を摺動可能に取り付ける構成は、前記実施例で示したものに特定されない。例えば、円環状取付片を具えた吊り具の該円環状取付片に棒状のカーテンレールを挿通せしめ、該棒状のカーテンレールの長さ方向で該吊り具が摺動するように構成されることもある。
【００６７】
(7) 本発明に係る引き上げ式カーテン装置１は、表裏二重のカーテンに対しても適用できる。この場合、例えば、一方のカーテンは薄地に形成し他方のカーテンは厚地に形成するのがよい。このような表裏のカーテン２ａ，２ｂに対して本発明を応用した場合は、各カーテン２ａ，２ｂに対応させて、一方の張設支持片１１にロック具１６が設けられる。今、両カーテン２ａ，２ｂの上縁部分３ａ，３ｂが図３４に示すように一体化している場合は、図３４に示すように、各カーテン２ａ，２ｂに対応する如く設定された、ロック具１６が設けられる張設支持片が、同一の張設支持片（例えば図３４に示す左端側の張設支持片１１ａ）とされる場合と、図３５に示すように、ロック具１６が設けられる張設支持片が、一方のカーテン２ａに関しては左端側の張設支持片１１ａとされ、且つ他方のカーテン２ｂに関しては右端側の張設支持片１１ｂとされることもある。なお表裏のカーテン２ａ，２ｂは、前記カーテンレール１０の表側と裏側に分けて配置されることもある。
【００６８】
(8) 前記ロック具は、ひだ状部分が積み重なる状態に所要に引き上げられたカーテンの該引き上げ状態を保持するために前記昇降コードをロックできる構成のものであれば、前記実施例で示したものの他、各種に構成できる。
又前記ロック具は、前記ホルダーを介在させることなく、張設支持片に直接固定状態に設けられることもある。
【００６９】
(9) 前記吊り具２０は、例えば図３６に示すように、ネジ固定等によりカーテンレール１０の長さ方向に摺動しない固定状態で設けられることもある。
【００７０】
(10)カーテン２に上下所要間隔で設けられる前記コード挿通部９１は、前記実施例で示したように、カーテンに取り付けられた挿通部材を用いて構成することの他、例えば図３７に示すように、カーテン２に設けた透孔として構成することもある。又、カーテンの上縁部分に設ける案内部５６は、昇降コード１５を横方向でロック具１６に向けて案内できるものであれば各種に構成できる。
【００７１】
(11)張設支持片１１に設けられる前記第１の取付片１３は、前記の他、カーテンレール１０に着脱可能に取り付けられる各種構成のものを採用できる。
【図面の簡単な説明】
【００７２】
【図１】本発明に係るカーテン装置を示す背面図である。
【図２】その斜視図である。
【図３】本発明に係るカーテン装置の一端側を説明する分解斜視図である。
【図４】本発明に係るカーテン装置の他端側を説明する分解斜視図である。
【図５】固定部材が取り付けられたカーテンレールを示す部分斜視図である。
【図６】固定部材を示す斜視図である。
【図７】カーテンレールに対する固定部材の固定要領を説明する断面図である。
【図８】カーテン基材の上側部分に係止テープを、その両端部分がカーテン基材の両端から突出する如く縫着した状態を示す部分斜視図である。
【図９】その折り返し片を内側に折り曲げて縫製することにより形成された収容袋部を示す斜視図である。
【図１０】カーテンの上縁部分に案内具と第２の取付片を取り付けた状態を示す斜視図である。
【図１１】カーテンの下縁部分に形成されたウエイトバーの収容部をウエイトバーの収容状態で示す部分斜視図である。
【図１２】ウエイトバーの構成を説明する斜視図である。
【図１３】ホルダーが固定された張設支持片をカーテンの上縁部分の一端側に取着する工程を説明する斜視図である。
【図１４】ホルダーを有さない張設支持片をカーテンの上縁部分の他端側に取着する工程を説明する斜視図である。
【図１５】カーテンの上縁部分の左右端側に張設支持片を取着し、且つ上縁部分を張設した状態を示す背面図である。
【図１６】張設支持片とホルダーとロック具を分解して示す斜視図である。
【図１７】支持片に対するホルダーの取り付け状態を示す断面図である。
【図１８】ロック具のロック解除状態を示す断面図である。
【図１９】カーテンの引き上げ状態を示す部分斜視図である。
【図２０】ロック具のロック状態を示す断面図である。
【図２１】本発明に係るカーテン装置の他の実施例を示す背面図である。
【図２２】出窓に適用されたカーテン装置を一端側から見た斜視図である。
【図２３】その他端側から見た斜視図である。
【図２４】その一端側から見た斜視図の部分拡大図である。
【図２５】その他端側から見た斜視図の部分拡大図である。
【図２６】その一端側から見た斜視図の中間部分拡大図である。
【図２７】固定部材の他の態様を示す斜視図である。
【図２８】その固定部材をカーテンレールに固定した状態を示す斜視図である。
【図２９】その固定部材を用いてカーテンの上縁部分を張設した状態を示す背面図である。
【図３０】第１の取付片の他の態様を、張設支持片がカーテンの上縁部分の左端側に取着された状態で示す斜視図である。
【図３１】第１の取付片が設けられた張設支持片を示す斜視図である。
【図３２】その第１の取付片を、張設支持片がカーテンの上縁部分の右端側に取着された状態で示す斜視図である。
【図３３】その第１の取付片が設けられた張設支持片をカーテンの上縁部分の左右端側に取着し、且つ上縁部分を張った状態を示す背面図である。
【図３４】本発明に係るカーテン装置が表裏二重のカーテンに応用された場合の一実施例を示す部分斜視図である。
【図３５】本発明に係るカーテン装置が表裏二重のカーテンに応用された場合の他の実施例を示す部分斜視図である。
【図３６】カーテンレールに設けられる吊り具の他の態様を示す斜視図である。
【図３７】コード挿通部の他の態様を示す断面図である。
【図３８】従来のカーテン装置を説明する斜視図である。
【図３９】その背面図である。
【符号の説明】
【００７３】
１  カーテン装置
２  カーテン
３  上縁部分
７  収容袋部
１０  カーテンレール
１１  張設支持片
１３  第１の取付片
１５  昇降コード
１６  ロック具
１７  ホルダー
２１  掛着孔
２２  固定部材
３６  カーテン基材
４０  係止テープ
４３  折り返し片
４９  被折り返し部
５６  案内具
６３  ウエイトバー
６５  収容部
６６  出し入れ口
６７  分割バー
７１  張設支持片外端
７２  袋底部
９１  コード挿通部
９５  コード案内路
９６  ロックローラ
１００  第２の取付片
１０９  出窓
【要約】 
【課題】コンパクトに梱包できて梱包コスト及び輸送コストの低減を期し得ると共に窓部の幅の違いに容易に応ずることができ、しかも、出窓に対しても適用容易な引き上げ式カーテン装置を提供する。
【解決手段】カーテン２の上縁部分３の左右端側にのみ板状の張設支持片１１，１１を取着する。一方の張設支持片１１ａにロック具１６を設けると共に、左右の張設支持片１１，１１に、カーテンレール１０に掛着し得る第１の取付片１３を設ける。上縁部分３の中間には、カーテンレール１０に掛着し得る第２の取付片１００を設ける。カーテン２を昇降させるための昇降コード１５の複数本がカーテン２に設けられており、各昇降コード６がロック具１６のコード案内路に挿通されている。コード案内路を通った昇降コード１５を下方に引くことによりカーテン２が引き上げられ、所要の引き上げ状態で、各昇降コード１５はロック具１６によりロックされる。
【選択図】図２
【図１】
0003725895.tif 000002
【図２】
0003725895.tif 000003
【図３】
0003725895.tif 000004
【図４】
0003725895.tif 000005
【図５】
0003725895.tif 000006
【図６】
0003725895.tif 000007
【図７】
0003725895.tif 000008
【図８】
0003725895.tif 000009
【図９】
0003725895.tif 000010
【図１０】
0003725895.tif 000011
【図１１】
0003725895.tif 000012
【図１２】
0003725895.tif 000013
【図１３】
0003725895.tif 000014
【図１４】
0003725895.tif 000015
【図１５】
0003725895.tif 000016
【図１６】
0003725895.tif 000017
【図１７】
0003725895.tif 000018
【図１８】
0003725895.tif 000019
【図１９】
0003725895.tif 000020
【図２０】
0003725895.tif 000021
【図２１】
0003725895.tif 000022
【図２２】
0003725895.tif 000023
【図２３】
0003725895.tif 000024
【図２４】
0003725895.tif 000025
【図２５】
0003725895.tif 000026
【図２６】
0003725895.tif 000027
【図２７】
0003725895.tif 000028
【図２８】
0003725895.tif 000029
【図２９】
0003725895.tif 000030
【図３０】
0003725895.tif 000031
【図３１】
0003725895.tif 000032
【図３２】
0003725895.tif 000033
【図３３】
0003725895.tif 000034
【図３４】
0003725895.tif 000035
【図３５】
0003725895.tif 000036
【図３６】
0003725895.tif 000037
【図３７】
0003725895.tif 000038
【図３８】
0003725895.tif 000039
【図３９】
0003725895.tif 000040